(57)【要約】【課題】信頼性が高い破損防止構造を備えた嵌合部を有するコネクタを提供すること。【解決手段】複数のコンタクト１１を保持したハウジング１２は、本体部１３から突出形成された、相手側コネクタと嵌合するための平板状の嵌合部１４を備えている。嵌合部は、互いに対向した第１及び第２の主面１６，１７とこれらの主面間を結ぶ対の側面１８，１９とを有している。コンタクトの各々は、第１の主面に配された接点部２２を有している。嵌合部は金属製の覆い部２１を備えている。覆い部は、第２の主面と対の側面とを覆うように嵌合部の周囲に沿ってのびている。【選択図】図４
2008277225.tif 000002
【特許請求の範囲】
【請求項１】
複数のコンタクトと前記コンタクトを保持したハウジングとを含むコネクタにおいて、前記ハウジングは、本体部と、前記本体部から突出形成された、相手側コネクタと嵌合するための平板状の嵌合部とを含み、前記嵌合部は、互いに対向した第１及び第２の主面と前記第１及び第２の主面間を結ぶ対の側面とを有しており、前記コンタクトの各々は、前記第１の主面に配された接点部を有し、前記嵌合部は金属製の覆い部を備えており、前記覆い部は、前記第２の主面と前記対の側面とを覆うように前記嵌合部の周囲に沿ってのびていることを特徴とするコネクタ。
【請求項２】
前記ハウジングは前記第１の主面に複数の突条を有し、前記突条間に前記接点部が配設され、前記覆い部は、前記接点部と前記突条とを除く前記嵌合部の全周を覆っている、請求項１に記載のコネクタ。
【請求項３】
前記突条の前記第１の主面からの高さと、前記覆い部の前記第１の主面からの高さとはほぼ同じであることを特徴とする請求項１に記載のコネクタ。
【請求項４】
前記覆い部は、前記第１の主面のうち前記対の側面に隣接した部分にまで延長されている、請求項１に記載のコネクタ。
【請求項５】
前記覆い部は、前記対の側面を、前記嵌合部の突出長全体に亘って覆っている、請求項１から４のいずれか一つに記載のコネクタ。
【請求項６】
前記覆い部は、前記第２の主面を、前記嵌合部の突出長全体に亘って覆っている、請求項１から５のいずれか一つに記載のコネクタ。
【請求項７】
前記覆い部は、前記ハウジングとモールドにて一体成型されている、請求項１から６のいずれか一つに記載のコネクタ。
【発明の詳細な説明】
【技術分野】
【０００１】
本発明は、相手側コネクタと嵌合により接続されるタイプのコネクタに関する。
【背景技術】
【０００２】
この種のコネクタは、一般に、複数の導電性のコンタクトをプラスチック製のハウジングに保持させている。ハウジングは、相手側コネクタに対し嵌合又は抜去される嵌合部を有している。コンタクトの接点部は、ハウジングの嵌合部で保護されている。相手側コネクタを抜去する際にコジリ力が加わり、嵌合部を破損させることが想定される。嵌合部が破損すると、コンタクトの接点部が十分に保護されない虞がある。
【０００３】
例えば特許文献１には、四角枠状のハウジングを有するコネクタが開示されている。ハウジングの特定の壁部にコンタクトを備えている。また、ハウジングの他の壁部に金属部材を付設している。
【０００４】
【特許文献１】特開２００６−３３１６７９号公報
【発明の開示】
【発明が解決しようとする課題】
【０００５】
特許文献１の構造では、金属部材は、コンタクトを備えた特定の壁部の破損を防止し得ない。したがって、相手側コネクタを抜去する際に特定の壁部が破損し、コンタクトの接点部の保護が不十分になる虞がある。また、その金属部材が部分的であってもハウジングの壁部から剥離すると、相手側コネクタの嵌合を阻害することになる。
【０００６】
それ故に本発明の課題は、信頼性が高い破損防止構造を備えた嵌合部を有するコネクタを提供することにある。
【０００７】
本発明の他の課題は、前記破損防止構造の剥離を防止したコネクタを提供することにある。
【課題を解決するための手段】
【０００８】
本発明によれば、複数のコンタクトと前記コンタクトを保持したハウジングとを含むコネクタにおいて、前記ハウジングは、本体部と、前記本体部から突出形成された、相手側コネクタと嵌合するための平板状の嵌合部とを含み、前記嵌合部は、互いに対向した第１及び第２の主面と前記第１及び第２の主面間を結ぶ対の側面とを有しており、前記コンタクトの各々は、前記第１の主面に配された接点部を有し、前記嵌合部は金属製の覆い部を備えており、前記覆い部は、前記第２の主面と前記対の側面とを覆うように前記嵌合部の周囲に沿ってのびていることを特徴とするコネクタが得られる。
【０００９】
前記ハウジングは前記第１の主面に複数の突条を有し、前記突条間に前記接点部が配設され、前記覆い部は、前記接点部と前記突条とを除く前記嵌合部の全周を覆っていてもよい。
【００１０】
前記突条の前記第１の主面からの高さと、前記覆い部の前記第１の主面からの高さとはほぼ同じであってもよい。
【００１１】
前記覆い部は、前記第１の主面のうち前記対の側面に隣接した部分にまで延長されていてもよい。
【００１２】
前記覆い部は、前記対の側面を、前記嵌合部の突出長全体に亘って覆っていてもよい。
【００１３】
前記覆い部は、前記第２の主面を、前記嵌合部の突出長全体に亘って覆っていてもよい。
【００１４】
前記覆い部は、前記ハウジングとモールドにて一体成型されていてもよい。
【発明の効果】
【００１５】
本発明のコネクタによれば、コンタクトの接点部を配した嵌合部の第１の主面に対向する第２主面と対の側面とにかけてのびた金属製の覆い部を備えているので、嵌合部の破損防止に高い信頼性が備えられる。
【発明を実施するための最良の形態】
【００１６】
図１〜図４を参照して、本発明の実施の形態に係るコネクタの構成について説明する。図１は、本発明の実施の形態に係るコネクタを一方向から見た斜視図である。図２は、図１のコネクタを他方から見た斜視図である。図３は、図１及び図２に示したコネクタの平面図である。図４は、図３のIV-IV線に沿って得られた断面拡大図である。 
図示のコネクタ１０は、第１の方向Ａ１に並べられた複数の導電性コンタクト１１と、これらのコンタクト１１を保持したプラスチック製の絶縁性ハウジング１２とを含んでいる。ハウジング１２は、第１の方向Ａ１に長い本体部１３と、第１の方向Ａ１に直交する第２の方向Ａ２に向けて本体部１３から突出形成された平板状の嵌合部１４とを一体に有している。嵌合部１４は、第１及び第２の方向Ａ１，Ａ２に直交する第３の方向（上下方向）Ａ３で互いに対向した第１及び第２の主面１６，１７と、これらの主面１６，１７間を結ぶ対の側面１８，１９とを有している。
【００１７】
嵌合部１４には金属製の覆い部２１が保護金属として備えられている。覆い部２１は、ハウジング１２とモールドにて一体成型され、第２の主面１７と対の側面１８，１９とを覆うように嵌合部１４の周囲に沿ってのびている。覆い部２１は、さらに、対の側面１８，１９の各々から第１の主面１６の端部をも覆うように延長されている。換言すると、第１の方向Ａ１における覆い部２１の両端部２１ａは嵌合部１４の両端部の外側に嵌合した状態にある。なお、覆い部２１は、第２の主面１７及び対の側面１８，１９を、嵌合部１４の突出長全体に亘って覆っている。
【００１８】
コンタクト１１は、第１の主面１６上に配置された接点部２２をそれぞれ有している。第１の主面１６に複数の突条２３が形成され、突条２３間に接点部２２が配設されている。これらの接点部２２は覆い部２１の両端面２１ｂ間で第１の方向Ａ１に配列されている。換言すると、覆い部２１は、接点部２２と突条２３とを除く嵌合部１４の全周を覆っている。
【００１９】
接点部２２の隣接したものの間には、嵌合部１４に一体形成された突条２３がそれぞれ介在している。突条２３はまた、覆い部２１の両端面２１ｂと接点部２２の端部のものとの間にも同様に介在している。こうして、接点部２２は相互間及び覆い部２１との間を絶縁されている。なお、第１の主面（上面）１６上において、覆い部２１の上面と突条２３の上面は互いに同等な高さをもつが、接点部２２の上面はそれらよりも僅かに低く設定されている。
【００２０】
次に、図５及び図６を参照して、上述したコネクタの作用について説明する。図５は、図１〜図４に示したコネクタ１０と相手側コネクタ３０との嵌合状態を示す断面図である。図６は、図５のＡ部の拡大図である。
【００２１】
図５及び図６において、コネクタ１０の嵌合部１４が相手側コネクタ３０の嵌合用凹部３１に嵌合されている。ここで、コネクタ１０の中心軸１０ａと相手側コネクタ３０の中心軸３０ａとは紙面内で互いに僅かに傾いており、その結果、コネクタ１０が相手側コネクタ３０にＡ部で一部突き当たっているものとする。このようにコネクタ１０が相手側コネクタ３０に突き当たったとしても、コネクタ１０の金属製の覆い部２１が相手側コネクタ３０に接触することになるので、プラスチック製の嵌合部１４の破損は防止される。
【００２２】
例えば相手側コネクタ３０を抜去する際にコジリ力が加わると、相手側コネクタ３０がコネクタ１０に強く突き当たることがある。しかし、その場合でも、嵌合部１４は覆い部２１によって保護されて破損を防止される。したがって、コンタクト１１の接点部２２が損傷を受ける虞は少ない。
【００２３】
上述ではコネクタ１０の中心軸１０ａと相手側コネクタ３０の中心軸３０ａとが紙面内で互いに僅かに傾いた場合について説明したが、覆い部２１の上面と突条２３の上面は互いに同等な高さをもつため、紙面に垂直な方向で傾いた場合でも相手側コネクタ３０との突き当たりによる嵌合部１４の破損は防止される。
【産業上の利用可能性】
【００２４】
本発明は、図面に示したタイプのコネクタに限らず、様々な種類のコネクタに適用できる。
【図面の簡単な説明】
【００２５】
【図１】本発明の実施の形態に係るコネクタを一方向から見た斜視図である。
【図２】図１のコネクタを他方から見た斜視図である。
【図３】図１及び図２に示したコネクタの平面図である。
【図４】図３のIV-IV線に沿って得られた断面拡大図である。
【図５】図１〜図４に示したコネクタと相手側コネクタとの嵌合状態を示す断面図である。
【図６】図５のＡ部の拡大図である。
【符号の説明】
【００２６】
１０  コネクタ
１０ａ  中心軸
１１  コンタクト
１２  ハウジング
１３  本体部
１４  嵌合部
１６  第１の主面
１７  第２の主面
１８，１９  側面
２１  覆い部
２１ａ  覆い部の端部
２１ｂ  覆い部の端面
２２  接点部
２３  突条
３０  相手側コネクタ
３０ａ  中心軸
３１  嵌合用凹部
【図１】
2008277225.tif 000003
【図２】
2008277225.tif 000004
【図３】
2008277225.tif 000005
【図４】
2008277225.tif 000006
【図５】
2008277225.tif 000007
【図６】
2008277225.tif 000008